(57)【特許請求の範囲】
【請求項１】
複数の装置それぞれの表示位置を、ＸＹ平面に表示した地図上の座標と高さ方向のＺ軸の座標とを用いて、ネットワークの状況の三次元表示画面を生成する画面表示装置であって、
カメラの画角に関する情報を記憶する記憶部と、
入力装置からカメラの設定位置の座標および向きの入力を受け付け、生成された前記ネットワークの状況の三次元表示画面を表示装置に出力する入出力部と、
前記三次元表示画面を生成する処理部とを備え、
前記処理部は、
（１）前記入出力部によって受け付けられた前記カメラの設定位置の座標および向きと前記装置の表示位置の座標とを用いて、前記カメラの撮影範囲に入る装置の中で前記カメラに最も近い装置と前記カメラとの間の距離を計算し、（２）前記カメラに最も近い装置と前記カメラとの間の距離および前記カメラの画角を参照して、前記カメラの撮影範囲に入るＺ軸方向の距離を計算し、（３）前記三次元表示画面に表示する前記複数の装置間の高さ方向の距離を取得し、（４）前記表示する装置間の高さ方向の距離と前記カメラの撮影範囲に入るＺ軸方向の距離とを比較し、（５）前記表示する装置間の高さ方向の距離が前記カメラの撮影範囲に入るＺ軸方向の距離より大きい場合、前記表示する装置間の高さ方向の距離を前記カメラの撮影範囲に入るＺ軸方向の距離に縮小するように、前記Ｚ軸方向の座標を変更する
ことを特徴とする画面表示装置。
【請求項２】
前記記憶部には、さらに、予め決められた第１の閾値、第２の閾値および第３の閾値が記憶されており、
前記処理部は、
前記Ｚ軸方向の座標を変換後の前記カメラの撮影範囲に入る装置について、当該装置の中でカメラ位置に最も近い装置と前記カメラとの間の距離が前記第１の閾値以下となり、かつ当該装置の数が前記第２の閾値以下となり、かつ高さが同じ同一ＸＹ平面上に位置する当該装置間の距離が前記第３の閾値以下となる場合、
前記カメラ位置に最も近い装置と前記カメラとの間の距離を前記第１の閾値で除算した値を算出し、前記算出した値を当該装置の表示の辺の長さに乗算して、当該装置の表示の辺の長さを縮小する
ことを特徴とする請求項１に記載の画面表示装置。
【請求項３】
前記記憶部には、さらに、予め決められた第４の閾値が記憶されており、
前記処理部は、
前記Ｚ軸方向の座標を変換後の前記カメラの撮影範囲に入る装置に対して、当該装置の中でカメラ位置に最も近い装置と前記カメラとの間の距離が前記第１の閾値以下となり、かつ当該装置の数が前記第２の閾値以下となり、かつ高さが同じ同一ＸＹ平面上に位置する当該装置間の距離が前記第３の閾値以下となる場合、
当該装置の中で同じ機能と役割のものを同じ高さのＸＹ平面内に配置したとき、同じ高さのＸＹ平面内に配置される当該装置間について間隔補正計算を実施し、補正計算後の位置を取得し当該装置の表示位置とする
ことを特徴とする請求項２に記載の画面表示装置。
【発明の詳細な説明】
【技術分野】
【０００１】
本発明は、ネットワークの状況を画面表示する技術に関する。
【背景技術】
【０００２】
通信事業者のネットワークには、転送装置や制御装置など様々な装置が用いられている。ネットワーク構成を表示する場合、その方法の一つに、装置の地理的な位置情報を用いて、地図上の対応箇所に装置（下位サービス装置１０１，１０２，１０３、転送装置１２１，１２２、制御装置１４１、上位サービス装置１６１）を描画する方法がある（図１、非特許文献１）。この方法では、装置の位置や、装置がカバーする地理的な範囲を認識しやすくなる利点がある。
【０００３】
ネットワーク構成を表示する他の方法には、地理的な情報を全く考慮せずに、装置（図２では四角形表示）間の論理的な接続関係（論理トポロジ）のみに基づいた表示方法（図２、非特許文献２）がある。さらに、その派生形として同じ機能と役割のものを同じ階層に配置する方法がある（図３、非特許文献１）。図３に示すように、階層の上下関係については、ネットワークの末端に位置する装置（下位サービス装置１０１，１０２，１０３）の階層（破線で囲んだ部分）を最下位として、末端の装置から経由する装置の数（ホップ数）を基に定義する。同じ機能と役割を備える装置群を「階梯」として定義することもできる。図３の方法では、装置の役割やネットワークの論理構成を認識しやすい利点がある。
【０００４】
図１〜３に示す画面表示方法においては、ネットワーク全体表示のほかに、ネットワークの一部のみを切り出して表示することが可能である。切り出し方としては、例えば、一部の装置周辺の構成のみを切り出す方法、一部地域の装置構成のみを切り出す方法、ある特定の機能を持つ装置群と階梯のみを切り出す方法、ある特定のサービスに関する階梯のみを切り出す方法、がある。
【０００５】
例えば、特定の制御系機能を持つ装置群と階梯（制御プレーン）のみを切り出す例を、図４Ｂに示す。図４Ｂは、図４Ａの構成から制御系機能を持つ制御装置１４１とサービス装置（下位サービス装置１０１，１０２，１０３、上位サービス装置１６１）のみを切り出して表示した場合を表している。制御プレーンに属する制御装置１４１と下位サービス装置１０１，１０２，１０３および上位サービス装置１６１との間には、物理的には転送装置１２１，１２２や転送リンクが介在する。そこで、この表示方法においては、制御系装置相互の接続状況を明確にするために、制御系装置間に介在する転送装置や転送リンクなど物理的な接続状況を抽象化して制御リンク１５１（図４Ｂでは破線）として表示する。これにより装置間の制御系機能の動作状況を認識しやすくする利点がある。
【０００６】
また、ある特定のサービスに係る階梯のみ切り出す例として、ユーザが相互に通信を行う場合に、ユーザが接続する装置（サービスプレーン）が属する階梯のみ切り出して表示する場合を、図５Ｂに示す。図５Ｂは、図５Ａの構成から上位サービス装置１６１と下位サービス装置１０１，１０２，１０３のみを切り出して表示した場合を表している。上位サービス装置１６１と下位サービス装置１０１，１０２，１０３との間には転送装置や転送リンクが介在し、サービスを実現するために制御プレーンに属する制御系装置が協調動作している。そこで、この表示方法においては、これら装置やリンクの動作状況を抽象化してサービスリンク１５２（図５Ｂでは破線）として表示する。これにより装置間のサービス提供状況を認識しやすくする利点がある。
【０００７】
これらの表示方法においては、ネットワーク異常発生時にその原因となった箇所や影響範囲を認識しやすくするため、装置やリンクなどから何らかの警報が発出された場合や、装置の応答がないなどの異常が疑われる場合は、構成図上の該当する装置やリンクに対して付加記号を重畳したり、装置やリンクの色を変えたりするなどして該当する箇所を閲覧者に明示する。例えば、図１の表示に警報を付した場合を図６（非特許文献１）に示す。また、図３の表示に警報を付し場合を図７（非特許文献１）に示す。
【０００８】
しかしながら、図６や図７に示す表示方法は、ネットワークの異常発生時における、各階梯単位の動作正常性確認および原因装置特定や、ある装置の異常による他の装置への影響確認、さらには影響を被った地域やユーザ数（り障範囲）の把握などの業務において、次のような問題がある。図６に示す地理的な配置に基づいた平面表示方法では、階梯構成を表現することは難しく、重要な装置か末端の装置かを一目で認識できないため、故障の重要度を把握することが難しい。また、図７に示す各階梯の接続状況を一括表示する方法では、地理的な位置関係が表現されないため、影響を受けた地域の把握が難しい。
【０００９】
上記の問題を解決する手法として、空間軸（Ｘ，Ｙ，Ｚ軸の３次元）を用いた３次元画面表示方法（図８）が考えられる。３次元のうちＸＹ平面には地図を重畳し、実世界で装置が配置されている箇所の緯度経度などの地理情報を用いて、ＸＹ平面に重畳した地図上の対応するポイントに装置を配置する。さらに、Ｚ軸（高さ)を利用して階梯を表現する。ある高さのＸＹ平面に同じ階梯（同じ属性）の装置を配置し、異なる階梯の装置は異なる高さに配置する。これら配置した装置について、実際のネットワーク接続情報を基に、接続関係にある装置を線（リンク）で結ぶ。また、末端階梯より上の階梯の装置が存在する箇所（下位サービス装置１０２、転送装置１２２および上位サービス装置１６１）は、これらの装置群を重要ビル１５５として立方体で囲む。このようにすることで、閲覧者は、各装置の階梯を視認しやすくなる。さらに、複数の装置で、現用系・待機系を組む装置については、画面上において、これら装置群を線で囲むなどしてグループを明示する。例えば、図８では、同じグループの装置群を楕円１５４で囲む。これにより、現用系・待機系を組む装置群を、閲覧者が画面上で認識しやすくなる。よって、ある装置の障害発生時における、サービスの影響度を、閲覧者が画面上で推測しやすくなる。
【００１０】
この３次元画面表示方法では、図９Ａに示すように、視点（図９Ａの第１の視点、第２の視点）の位置や向きを自由に設定して、任意の装置およびリンクの状況にフォーカスしたネットワークの状況を確認できるようにしてもよい。すなわち、視点は、カメラに相当している。
例えば、図９Ｂは、図９Ａの第１の視点から見た表示画面例であり、装置およびリンクを、ＸＹ平面に投影した平面図を表している。また、図９Ｃは、図９Ａの第２の視点から見た表示画面例であり、装置およびリンクを、ＹＺ平面に投影した立面図を表している。
【先行技術文献】
【非特許文献】
【００１１】
【非特許文献１】立石直規、他３名、「大規模ネットワークの情報可視化方式に関する検討」、電子情報通信学会技術研究報告、社団法人電子情報通信学会、巻112号、492(ICM2012 59-80)、pp.89-94、(2013年3月）
【非特許文献２】ITU-T Z.352, Z.361,Z.371, Z.372、[online]、[平成２６年２月６日検索]、インターネット<URL: http://www.itu.int/ITU-T/recommendations/index.aspx?ser=Z［Z.352,Z.361,Z371,Z.372］>
【非特許文献３】Giuseppe Di Battista, et al.,”Graph Drawing: Algorithms for the Visualization of Graphs”, Prentice Hall,1999
【発明の概要】
【発明が解決しようとする課題】
【００１２】
しかしながら、図９Ａに示す視点を用いた方法では、ネットワークのある要素に近接した視点(以降、カメラとも称す。)を設定した場合、カメラの視野角が一定範囲に限られるため、ネットワークの表示したい部分が視野外になってしまうという問題がある。
【００１３】
例えば、比較例として、図１０Ａに示すように第３の視点を設定した場合で説明する。この第３の視点によって、図１０Ｂのような画面表示が得られることになる。
【００１４】
図１０Ｂの画面表示では、次の（１）〜（３）のような問題がある。
問題（１）：一目見ただけでは現在見ている階層を認識し難い。例えば、１階梯のみ表示されている場合には、現在注目している階層名を明示的に表示していないことから、どの階梯に注目しているかが分かり難くなるケースがある。
問題（２）：他の階層の様子を認識することが難しい。例えば、１階梯のみ表示されている場合には、他の階層の警報などの情報が表示されていないことから、他の階層での障害発生などを認識できないケースがある。
問題（３）：カメラが近接する分、装置は拡大表示され画面に占める割合が大きくなる。そのため、装置の密集地では拡大表示された装置に隠れるリンクが多くなり、視認性が阻害されるケースがある。
【００１５】
そこで、本発明は、前記した問題を解決し、カメラ位置に合わせたネットワークの状況を示す画面を生成する画面表示装置を提供することを課題とする。
【課題を解決するための手段】
【００１６】
前記した課題を解決するため、本発明の画面表示装置は、複数の装置それぞれの表示位置を、ＸＹ平面に表示した地図上の座標と高さ方向のＺ軸の座標とを用いて、ネットワークの状況の三次元表示画面を生成する画面表示装置であって、カメラの画角に関する情報を記憶する記憶部と、入力装置からカメラの設定位置の座標および向きの入力を受け付け、生成された前記ネットワークの状況の三次元表示画面を表示装置に出力する入出力部と、前記三次元表示画面を生成する処理部とを備え、前記処理部が、（１）前記入出力部によって受け付けられた前記カメラの設定位置の座標および向きと前記装置の表示位置の座標とを用いて、前記カメラの撮影範囲に入る装置の中で前記カメラに最も近い装置と前記カメラとの間の距離を計算し、（２）前記カメラに最も近い装置と前記カメラとの間の距離および前記カメラの画角を参照して、前記カメラの撮影範囲に入るＺ軸方向の距離を計算し、（３）前記三次元表示画面に表示する前記複数の装置間の高さ方向の距離を取得し、（４）前記表示する装置間の高さ方向の距離と前記カメラの撮影範囲に入るＺ軸方向の距離とを比較し、（５）前記表示する装置間の高さ方向の距離が前記カメラの撮影範囲に入るＺ軸方向の距離より大きい場合、前記表示する装置間の高さ方向の距離を前記カメラの撮影範囲に入るＺ軸方向の距離に縮小するように、前記Ｚ軸方向の座標を変更することを特徴とする。
【００１７】
このような構成によれば、画面表示装置は、高さ（Ｚ軸）方向の座標を変換することによって、高さ方向の表示範囲を変えることができる。したがって、画面表示装置は、現在見ている階層を認識しやすくするとともに、他の階層の様子を認識しやすくなるように、カメラ位置に合わせたネットワークの状況を示す画面を生成することができる。
【００１８】
また、前記画面表示装置は、前記記憶部には、さらに、予め決められた第１の閾値、第２の閾値および第３の閾値が記憶されており、前記処理部が、前記Ｚ軸方向の座標を変換後の前記カメラの撮影範囲に入る装置について、当該装置の中でカメラ位置に最も近い装置と前記カメラとの間の距離が前記第１の閾値以下となり、かつ当該装置の数が前記第２の閾値以下となり、かつ高さが同じ同一ＸＹ平面上に位置する当該装置間の距離が前記第３の閾値以下となる場合、前記カメラ位置に最も近い装置と前記カメラとの間の距離を前記第１の閾値で除算した値を算出し、前記算出した値を当該装置の表示の辺の長さに乗算して、当該装置の表示の辺の長さを縮小することを特徴とする。
【００１９】
このような構成によれば、画面表示装置は、装置の表示の辺の長さを小さくすることができる。したがって、画面表示装置は、装置の密集地においても装置を認識しやすくなるように、カメラ位置に合わせたネットワークの状況を示す画面を生成することができる。
【００２０】
また、前記画面表示装置は、前記記憶部には、さらに、予め決められた第４の閾値が記憶されており、前記処理部が、前記Ｚ軸方向の座標を変換後の前記カメラの撮影範囲に入る装置に対して、当該装置の中でカメラ位置に最も近い装置と前記カメラとの間の距離が前記第１の閾値以下となり、かつ当該装置の数が前記第２の閾値以下となり、かつ高さが同じ同一ＸＹ平面上に位置する当該装置間の距離が前記第３の閾値以下となる場合、当該装置の中で同じ機能と役割のものを同じ高さのＸＹ平面内に配置したとき、同じ高さのＸＹ平面内に配置される当該装置間について間隔補正計算を実施し、補正計算後の位置を取得し当該装置の表示位置とすることを特徴とする。
【００２１】
このような構成によれば、画面表示装置は、装置間に一定以上の距離が設定されて、装置でリンクが隠れることを抑制することができる。したがって、画面表示装置は、装置の密集地においてもリンクを認識しやすくなるように、カメラ位置に合わせたネットワークの状況を示す画面を生成することができる。
【発明の効果】
【００２２】
本発明によれば、カメラ位置に合わせたネットワークの状況を示す画面を生成することができる。
【図面の簡単な説明】
【００２３】
【図１】ネットワークの状況を地理的な配置に基づき表示した例を示す図である。
【図２】ネットワークの状況を論理トポロジに基づき表示した例を示す図である。
【図３】ネットワークの各階梯の接続状況を一括表示した例を示す図である。
【図４Ａ】図３に示したネットワークの各階梯の接続状況の例を示す図である。
【図４Ｂ】図４Ａに対して、制御系装置間に介在する転送装置、転送リンクなど物理的な接続状況を制御リンクに抽象化して表示した例を示す図である。
【図５Ａ】図３に示したネットワークの各階梯の接続状況の例を示す図である。
【図５Ｂ】図５Ａに対して、サービス系装置間に介在する転送装置、制御装置などの構成をサービスリンクに抽象化して表示した例を示す図である。
【図６】図１の表示方法において、警報を併せて表示した例を示す図である。
【図７】図３の表示方法において、警報を併せて表示した例を示す図である。
【図８】３次元表示した例を示す図である。
【図９Ａ】視点の位置および向きを設定した場合の表示画面例を示す図である。
【図９Ｂ】図９Ａに示す第１の視点から見た表示画面例を示す図である。
【図９Ｃ】図９Ａに示す第２の視点から見た表示画面例を示す図である。
【図１０Ａ】比較例において第３の視点を設定した場合の表示画面例を示す図である。
【図１０Ｂ】比較例において図１０Ａに示す第３の視点から見た表示画面例を示す図である。
【図１１】本実施形態の画面表示装置の表示画面例を示す図である。
【図１２】カメラの視野角内にＺ軸方向が納まらない場合の一例を示す図である。
【図１３】Ｚ軸方向が納まらない場合の補正例（第１視野補正）を示す図である。
【図１４】本実施形態の画面表示装置の機能例を示す図である。
【図１５】装置属性情報、装置間接続情報および装置配置設定情報の一例を示す図である。
【図１６】視野補正設定情報およびカメラ現況情報の一例を示す図である。
【図１７】画面表示装置の処理フロー例を示す図である。
【図１８】視野補正処理のフロー例を示す図である。
【発明を実施するための形態】
【００２４】
本発明を実施するための形態（以降、「本実施形態」と称す。）について、適宜図面を参照しながら詳細に説明する。
【００２５】
はじめに、発明が解決しようとする課題において説明した問題（１）〜（３）を解決するために、本実施形態における画面表示装置が実行する視野補正処理の概要について、図１１を用いて説明する。
【００２６】
（第１視野補正処理）
視野補正部２２７（後記）は、問題（１），（２）を解決するために、Ｚ軸方向の表示したい範囲を表示するように、装置間の距離１１０１（Ｚ軸の各階層間の距離）を縮小する処理を実行する。この処理によって、他の階層の状況も視認可能となる。
【００２７】
ここで、カメラの視野角内にＺ軸方向が納まらない場合の一例について、図１２を用いて説明する。
図１２に示すように、視野角内のＺ軸方向の距離（カメラの撮影範囲に入るＺ軸方向の距離）は、２×Ｚｖで表される。そして、階層１から階層４までの範囲を表示したい場合には、少なくとも、Ｚｈの距離分がはみ出していることになる。したがって、階層１〜階層４までの範囲を表示する場合には、（Ｚｈ＋２×Ｚｖ）の距離（表示する装置間の高さ方向の距離）を（２×Ｚｖ）の距離に縮小するように座標を変換すればよい。
【００２８】
つまり、Ｚ軸の座標に２×Ｚｖ／（Ｚｈ＋２×Ｚｖ）の係数を乗算して、Ｚ軸方向の高さを補正すると、図１３に示すように、全体の高さが表示できることになる。
【００２９】
（第２視野補正処理）
図１１へ戻って、第２視野補正処理では、問題（３）を解決するために、装置の大きさ１１０２を小さくする処理が実行される。
具体的には、視野補正部２２７（後記）は、装置箱（装置を表す四角柱）を調整するための係数を乗算して、装置箱辺の長さを補正する。第２視野補正処理の詳細については後記する。
【００３０】
（第３視野補正処理）
第３視野補正処理では、問題（３）を解決するために、装置間のリンクを表示できるように、装置間の距離１１０３を調整（拡大、短縮）する処理が実行される。
具体的には、視野補正部２２７（後記）は、装置間のＸＹ平面上の距離を、力学モデル（ばね理論、非特許文献３）などを用いて調整する。
【００３１】
ここで、一例として、ばね理論を用いて装置間の距離を調整する場合について説明する。装置を質量ｍで体積０の物体と仮定し、装置間に所定の長さのばねが接続されているものとする。装置には、斥力ｆ１（ｘ軸成分をｆ１ｘ、ｙ軸成分をｆ１ｙで表す。）または引力ｆ２（ｘ軸成分をｆ２ｘ、ｙ軸成分をｆ２ｙで表す。）が作用する。
【００３２】
時刻ｋにおいて、第１の装置の座標を（ｘ１ｋ，ｙ１ｋ）、第２の装置の座標を（ｘ２ｋ，ｙ２ｋ）と定義すると、第１の装置に作用する斥力は、次の式（１）で表される。
【００３３】
【数１】
0005856635.tif 000002
【００３４】
また、第１の装置に作用する引力は、次の式（２）で表される。
【００３５】
【数２】
0005856635.tif 000003
ただし、ｖ（ｋ）は、時刻ｋにおける第１の装置の速度を表す。また、ｖｘはｘ軸成分を表し、ｖｙはｙ軸成分を表す。
【００３６】
ここで、式（１）に示す斥力、式（２）に示す引力について、オイラー法による加速度、速度、位置の近似計算式を用いて、演算を行う。加速度、速度、位置を次の式（３）に示す。ただし、式（３）では、ｘ軸成分、ｙ軸成分の記載を省略しているので、斥力および引力を演算する場合には、ｘ軸成分、ｙ軸成分に分けて計算を行う。
【００３７】
【数３】
0005856635.tif 000004
ただし、Δｔ（ｋ）は、時刻ｋにおける微小の時間変化量を表す。
【００３８】
視野補正部２２７（図１４参照）は、式（１）〜（３）を用いて、同じ高さのＸＹ平面内に配置されている装置間に、所定の長さのばねがフルメッシュ状に接続されている条件下で時刻ｋを更新しつつ演算を実行する。そして、視野補正部２２７は、各装置の運動エネルギＥ＝ｍｖ２／２の全装置分の総和が所定値Ｒ（第４の閾値）以下となったときに、演算を終了する。そして、演算終了時の位置が、各装置の表示位置に相当することになる。なお、式（１）中のσ、式（２）中のμ、式（３）中のｍ、および所定値Ｒは、目的に合わせて設定される。また、σ、μ、ｍ、Ｒの値は、図１６の視野補正設定情報の計算係数情報に記憶される。
【００３９】
（画面表示装置）
本実施形態では、表示画面が、図１２に示すように、ネットワークのサーバなどの上位サービス装置１６１、ネットワークの末端の装置である下位サービス装置１０１，１０２，１０３、各装置間のデータ転送を行う転送装置１２１，１２２およびこの転送装置１２１，１２２や下位サービス装置１０１〜１０３の制御を行う制御装置１４１と、これらの装置間を接続するリンク（実線）とを表す場合を例に説明する。以下に示す表示画面例では、説明のため図中に三次元空間のＸＹＺ軸を示すが、このＸＹＺ軸の表示は必須ではない。
【００４０】
画面表示装置２００（図１４参照）は、図１２に例示したように、ネットワークの装置の階梯や装置間の接続関係、現用系・待機系（楕円１５４で表示）でペアとなる装置群などを表示する三次元表示画面を生成する。そして、画面表示装置２００は、障害発生時には、この三次元表示画面上に警報を表示することもできる。
【００４１】
画面表示装置２００は、図１２に例示するように、ＸＹＺ軸で表される三次元空間のうち、ＸＹ平面に地図を重畳する。そして、画面表示装置２００は、各装置の設置される位置の緯度経度などの地理情報を用いて、各装置の地図上の配置位置を表現する。これにより、画面表示装置２００の画面の閲覧者は、画面上で、障害発生時に障害の影響を受けた地域や影響ユーザ数を推測しやすくなる。また、画面表示装置２００は、装置間接続情報（図１５参照）を基に、接続関係にある装置間を線（リンク）で結ぶ。これにより、閲覧者は、画面上で、装置間の接続関係を把握し、障害発生時における、り障範囲を推測しやすくなる。
【００４２】
さらに、画面表示装置２００は、画面上で、三次元空間のＺ軸（高さ）を利用して、各装置の属性を階梯で表現する。ここでの属性は、各装置を、上位サービス装置１６１、下位サービス装置１０１〜１０３、転送装置１２１，１２２および制御装置１４１のいずれかに分類したものである。図１２に示した例では、各属性のうち、上位サービス装置１６１の階梯を最上位の階梯とし、下位サービス装置１０１〜１０３の階梯を最下位の階梯としている。また、転送装置１２１，１２２の階梯を下から二番目の階梯とし、制御装置１４１の階梯を下から三番目の階梯としている。
【００４３】
画面表示装置２００は、画面上において、同じ階梯（属性）の装置群を同じ高さのＸＹ平面に配置し、異なる階梯の装置群をそれぞれ異なる高さのＸＹ平面に配置する。例えば、図１２に示すように、装置の属する各階梯をそれぞれ階層１〜階層４の高さのＸＹ平面に配置する。これにより、閲覧者は、障害発生時に、画面上で、異常の発生した装置がどの階梯（属性）の装置なのかを把握しやすくなる。また、画面表示装置２００は、末端階梯より上の階梯の装置が存在する箇所（下位サービス装置１０２、転送装置１２２および上位サービス装置１６１）について、これらの装置群を重要ビル１５５として立方体で囲むことができる。このようにすることで、閲覧者は、各装置の階梯を視認しやすくなる。
【００４４】
また、本実施形態の画面表示装置２００は、視野補正部２２７（図１４参照）を備えることによって、カメラ位置に合わせたネットワークの状況を示す画面を生成する機能を有している。
【００４５】
＜画面表示装置の構成＞
次に、図１４を用いて、画面表示装置２００の構成を説明する。画面表示装置２００は、ネットワークの装置の階梯や装置間の接続関係、複数系（現用系・待機系）を組む箇所の情報、各種警報や障害の発生状況を示した三次元表示画面を生成する。この画面表示装置２００は、ネットワークを構成する各装置（例えば、図１２に示す転送装置１２１，１２２、制御装置１４１、上位サービス装置１６１、下位サービス装置１０１〜１０３）と接続されており、これらの装置から、ネットワークに関する警報やフローの流量情報を受信する。また、画面表示装置２００は、閲覧者から画面表示に関する各種指示入力を受け付けるキーボードやマウスなどの入力装置３２０を接続している。また、画面表示装置２００は、画面表示を行う液晶ディスプレイなどの表示装置３１０を接続している。画面表示装置２００は、入力装置３２０からの指示入力と、各装置から受信した情報とに基づき、ネットワークの状況を表す三次元表示画面を生成し、表示装置３１０に出力表示する。閲覧者は、この三次元表示画面を見ることでネットワークの状況を確認する。
【００４６】
画面表示装置２００の機能は、記憶部２１０、処理部２２０および入出力部２３０を有する。
記憶部２１０は、ＲＡＭ（Random Access Memory）、ＲＯＭ（Read Only Memory）、ＨＤＤ（Hard Disk Drive）、フラッシュメモリなどの記憶媒体から構成される。記憶部２１０には、ネットワークを構成する各装置の接続関係や、ネットワークに関する警報やフローの流量情報など、処理部２２０の表示画面生成時に参照される各種データなどが記憶される。
【００４７】
処理部２２０は、入出力部２３０から入力された指示入力に基づき、記憶部２１０の各種情報を参照して、表示画面を生成し、入出力部２３０経由で表示装置３１０に表示する機能を有する。また、処理部２２０は、この画面表示装置２００が備えるＣＰＵ（Central Processing Unit）によるプログラム実行処理や、専用回路などにより実現される。なお、処理部２２０の機能をプログラム実行処理により実現する場合、記憶部２１０には、この処理部２２０の機能を実現するためのプログラムが格納される。
【００４８】
入出力部２３０は、インターネットやＬＡＮ（Local Area Network）などのネットワーク経由で他の装置と通信を行うための通信インタフェースや入出力インタフェースを備える。入出力部２３０は、入力装置３２０からの各種指示入力を受け付け、処理部２２０へ出力する。また、入出力部２３０は、処理部２２０で生成された表示画面を、表示装置３１０に出力表示する。
【００４９】
記憶部２１０は、装置情報保存部２１１、警報保存部２１２、流量情報保存部２１３および設定保存部２１４を備える。
【００５０】
装置情報保存部２１１は、さらに装置属性情報保存部２１１１と装置接続関係保存部２１１２とを備える。
装置属性情報保存部２１１１は、装置属性情報（図１５参照）を記憶している。この装置属性情報は、各時刻における、ネットワークの各装置の属性（階梯）と、当該装置の地図上の座標位置（緯度、経度の組み合わせ）と、当該装置に現用系または待機系のペアとなる装置（複数系装置）がある場合のペアとなる装置とを示した情報である。図１５に例示する装置属性情報は、装置番号（装置の識別情報）ごとに、その装置の装置名と、階梯と、階梯の番号（階梯番号）と、経度および緯度と、複数系装置とを関連付けて記憶している。
【００５１】
図１４に戻って、装置接続関係保存部２１１２は、各時刻における装置間接続情報（図１５参照）を記憶している。この装置間接続情報は、ネットワークにおける各装置の接続関係を示した情報である。図１５に例示する装置間接続情報は、接続番号ごとに、装置の番号（装置番号）と、装置名と、その装置にリンク接続される装置の装置番号と、装置名とを関連付けて示している。また、この装置間接続情報は、図１５に例示するように、物理的な接続情報（接続関係情報１）の他に、制御プレーンにおける接続情報（接続関係情報２）と、サービスプレーンにおける接続情報（接続関係情報３）とを含んでいてもよい。
【００５２】
図１４に戻って、警報保存部２１２は、各時刻における、ネットワークの各装置やリンクの警報に関する警報情報を記憶している。この警報情報は、警報解析部２２３（後記）により作成される。
【００５３】
流量情報保存部２１３は、各時刻における、解析済みフロー情報を記憶している。この解析済みフロー情報は、各フローの経由装置を示した情報であり、流量情報解析部２２４（後記）により作成される。
【００５４】
設定保存部２１４は、装置配置設定情報（図１５参照）を記憶している。図１５に例示したように、装置配置設定情報は、属性階層設定情報と、階層座標設定情報と、重要ビル情報とを記憶している。属性階層設定情報は、設定番号ごとに、装置の属する階梯、階梯番号（ホップ数）、その階梯の表示階層を表している。また、階層座標設定情報は、表示階層ごとに、その表示階層の高さ座標を表している。各装置の高さ座標は、ネットワークの末端に位置する属性の装置ほど低い座標としている。重要ビル情報は、処理部２２０が、末端階梯以外の装置が配置される箇所に、立方体形状の重要ビル１５５で高さを示す目印（図１２参照）を画面上に表示するときに参照される情報である。
【００５５】
また、設定保存部２１４は、図１６に示す視野補正設定情報およびカメラ現況情報も記憶している。視野補正設定情報は、カメラの画角に関するカメラ視野設定情報（視野広さ（Ｚｖ）、カメラからの距離（Ｘｖ））、装置を箱（四角柱）で表示した場合の箱間の近接限界に関する装置箱間距離パラメータ、補正処理を実行する場合のカメラからの距離に関する補正開始判断パラメータ、補正処理の対象とする装置数の限界に関する補正限界視野内装置数パラメータ、第３視野補正処理に用いる係数に関する計算係数情報を記憶している。また、カメラ現況情報は、カメラの現在位置に関するカメラ位置情報、カメラの視野中心の位置に関するカメラ視野中心座標を記憶している。
【００５６】
次に、処理部２２０について、図１４を用いて説明する。処理部２２０は、装置属性情報解析部２２１、装置接続関係解析部２２２、警報解析部２２３、流量情報解析部２２４、座標計算部２２５、表示用情報生成部２２６、視野補正部２２７および視点決定部２２８を備える。
【００５７】
装置属性情報解析部２２１は、入出力部２３０経由で入力された時刻（表示時刻）に対応する装置属性情報を装置属性情報保存部２１１１から読み出す。
【００５８】
装置接続関係解析部２２２は、入出力部２３０経由で入力された時刻における装置間接続情報を装置接続関係保存部２１１２から読み出し、２つの装置間の装置間接続情報をつなぎあわせてネットワークの装置間接続構造を求める。
【００５９】
警報解析部２２３は、警報受信部２３１（後記）経由でネットワークの各装置からの警報を取得し、警報の対象であるリンクや装置と、警報の発生時刻とを対応付けた警報情報を作成し、警報保存部２１２に記憶する。
【００６０】
流量情報解析部２２４は、流量情報受信部２３２（後記）経由でネットワークの各装置からの通過フロー情報を受信する。そして、流量情報解析部２２４は、受信した通過フロー情報をつなぎあわせて、各フローが経由する装置を割り出し、各フローが経由する装置と、通過フロー情報の受信時刻とを対応付けた解析済みフロー情報を作成する。流量情報解析部２２４は、作成した解析済みフロー情報を流量情報保存部２１３に記憶する。
【００６１】
座標計算部２２５は、入出力部２３０経由で入力された時刻における各種情報を記憶部２１０から取得し、三次元表示画面における各装置、リンク、警報、フローなどの座標位置（配置データ）を決定する。この座標計算部２２５の詳細は後記する。
【００６２】
表示用情報生成部２２６は、座標計算部２２５から取得した配置データに基づき各装置、各装置間を接続するリンク、リンクを経由するフローおよび警報を重畳して配置した三次元表示画面データを生成し、その生成結果を視野補正部２２７へ出力する。
【００６３】
視野補正部２２７は、視点決定部２２８（後記）からカメラ位置情報（図１６参照）を受信し、表示用情報生成部２２６から三次元表示画面データを受信し、設定保存部２１４から視野補正情報（カメラ視野設定情報、装置箱間距離パラメータ）を取得する。そして、視野補正部２２７は、受信した三次元表示画面データを補正し、表示用座標データを生成する。視野補正部２２７は、生成した表示用座標データを表示部２３３に出力する。この視野補正部２２７の詳細は後記する。
【００６４】
視野決定部２２８は、入出力部２３０経由で入力されたカメラの位置や方向（図１２に示す視点）を取得し、設定保存部２１４に、カメラ現況情報（図１６参照）として記憶する。また、視野決定部２２８は、カメラ現況情報を視野補正部２２７に出力する。
【００６５】
入出力部２３０は、表示装置３１０、入力装置３２０、ネットワークの各装置との入出力インタフェースを備える。この入出力部２３０は、警報受信部２３１と、流量情報受信部２３２と、表示部２３３と、操作部２３４とを備える。
【００６６】
警報受信部２３１は、ネットワークの各装置から警報を受信し、受信した警報に関する情報を警報解析部２２３へ出力する。
【００６７】
流量情報受信部２３２は、ネットワークの各装置からのフロー情報を受信し、受信したフロー情報を流量情報解析部２２４へ出力する。
【００６８】
表示部２３３は、視野補正部２２７で生成された三次元表示画面データを表示装置３１０へ出力する。
【００６９】
操作部２３４は、入力装置３２０経由で入力された時刻の情報を座標計算部２２５へ出力し、入力装置３２０経由で入力されたカメラの位置や方向に関する情報を視野決定部２２８へ出力する。
【００７０】
次に、座標計算部２２５を詳細に説明する。座標計算部２２５は、装置属性情報解析部２２１から装置属性情報（図１５参照）を取得し、装置接続関係解析部２２２から装置間接続情報（図１５参照）を取得し、設定保存部２１４から装置配置設定情報（図１５参照）を取得する。また、座標計算部２２５は、警報保存部２１２から各装置やリンクに紐づけられた警報情報を取得し、流量情報保存部２１３から解析済フロー情報を取得する。
【００７１】
そして、座標計算部２２５は、装置間接続情報（図１５参照）を参照して、選択された時刻における装置および装置間のリンクを特定する。また、座標計算部２２５は、装置属性情報（図１５参照）および装置配置設定情報（図１５参照）を参照して、特定した装置および装置間のリンクの、三次元表示画面上のＸＹ軸の座標位置と、各装置の属する階梯に対応するＺ軸の座標位置とを決定する。さらに、座標計算部２２５は、装置属性情報を参照して、ある装置と現用系・待機系のペアとなる装置が存在するとき、三次元表示画面上に、このペアとなる装置群をペアとなる装置群であることを示す表示とともに配置する。例えば、図１２の表示画面例では、ペアとなる装置群付近にこれらの装置を囲む楕円１５４を配置する。さらに、座標計算部２２５は、三次元表示画面上での装置間の接続関係の交差や、各階層内での装置重なりを低減するよう配置位置を調整する。
【００７２】
また、座標計算部２２５は、警報保存部２１２の警報情報を参照して、選択された表示時刻に警報があれば、その警報を、三次元表示画面上の警報を発出している装置およびリンクの近傍に配置する。さらに、座標計算部２２５は、解析済みフロー情報を参照して、選択された表示時刻におけるフローを、三次元表示画面上のフローの経由するリンクに配置する。そして、座標計算部２２５は、三次元表示画面上に、装置、リンク、フローおよび警報を重畳して配置したデータ（配置データ）を生成し、その生成した配置データを表示用情報生成部２２６へ出力する。
【００７３】
次に、視野補正部２２７によって実行される、前記した第１視野補正処理、第２視野補正処理および第３視野補正処理の詳細について、図１１、図１２、図１３を用いて説明する。
【００７４】
第１視野補正処理では、Ｚ軸方向の表示範囲を表示できるようにするために、図１１に示す装置間の距離１１０１（Ｚ軸の各階層間の距離）を縮小する処理が、視野補正部２２７によって実行される。
【００７５】
例えば、図１２に示すように、階層１〜階層４までのＺ軸方向の範囲がカメラの視野角内に納まらず、Ｚｈ分がはみ出している場合には、視野補正部２２７は、視野角内のＺ軸方向の距離（カメラの撮影範囲に入るＺ軸方向の距離）２×Ｚｖを用いて、Ｚ軸の座標に２×Ｚｖ／（Ｚｈ＋２×Ｚｖ）の係数を乗算して、Ｚ軸方向の高さを補正する。このようにして、図１３に示すように、Ｚ軸方向の範囲を表示できることになる。
【００７６】
この場合、視野補正部２２７は、カメラ位置情報（図１６参照）からカメラ位置の座標を取得し、カメラ視野中心座標（図１６参照）を参照して、カメラ視野中心に最も近い装置との距離dist_cent_cam（不図示）を計算する。次に、視野補正部２２７は、カメラ視野設定情報（図１６参照）を参照し、カメラからの距離に応じた視野広さを取得する。図１６の例では、カメラからの距離（Ｘｖ）＝３０、視野広さ（Ｚｖ）＝１０である。
【００７７】
視野補正部２２７は、カメラの視野に含まれるＺ軸の長さlength_zaxis_camを計算する。前記したように、カメラからの距離（Ｘｖ）＝３０、視野広さ（Ｚｖ）＝１０であるので、仮にdist_cent_cam＝１２０の場合、カメラの視野に含まれるＺ軸の長さlength_zaxis_cam＝４０（＝１０×１２０÷３０）である。したがって、dist_cent_camが１２０の場合の場合のＺｖは、２０（＝length_zaxis_cam÷２＝４０÷２）となる。
【００７８】
ここで、Ｚｈ＝１６０の場合、２×Ｚｖ／（Ｚｈ＋２×Ｚｖ）＝２×２０／（１６０＋２×２０）＝０．２となる。この０．２は、元のＺ軸の座標を補正する係数である。
【００７９】
また、第１視野補正処理の変形例について説明する。視野補正部２２７は、階層座標設定情報（図１５参照）から、表示しようとしているＺ軸座標の最大値と最小値とを取得する。例えば、最大値が２００で最小値が０の場合、表示しようとしているＺ軸の長さz_allは、２００（＝２００−０）となる。つまり、z_all＝Ｚｈ＋２×Ｚｖである。そして、カメラのＺ軸方向の視野は、２×Ｚｖ＝４０であるので、Ｚ軸の座標を補正する係数は、２×Ｚｖ÷z_all＝４０÷２００＝０．２として計算することもできる。
【００８０】
次に、第２視野補正処理では、図１１に示す装置の大きさ１１０２を小さくする処理が、視野補正部２２７によって実行される。
まず、視野補正部２２７は、カメラ位置情報（図１６参照）およびカメラ視野中心座標（図１６参照）からカメラ位置の座標を取得し、装置属性情報（図１５参照）および装置配置設定情報（図１５参照）から装置の座標を取得し、第１視野補正処理後にカメラの視野（撮影範囲）に入っている装置の中で、カメラ位置に最も近い装置とカメラとの間の距離（min_dist）を算出する。そして、視野補正部２２７は、第１視野補正処理後にカメラの視野（撮影範囲）に入っている装置箱の辺の長さに、距離min_dist÷補正開始判断パラメータ（dist_lim_cam）の値を乗算し、装置箱辺の長さをＸ，Ｙ，Ｚ軸方向に縮小する。ここで、補正開始判断パラメータ（dist_lim_cam）は、第２視野補正処理を実行するか否かを判定する値であり、予め決められている。なお、Ｚ軸方向については、２×Ｚｖ／（Ｚｈ＋２×Ｚｖ）の係数を乗算して縮小しても構わない。
【００８１】
ただし、第２視野補正処理は、大規模ネットワークを構成する多数の装置を計算対象とした場合、計算量が大きくなるため表示遅延を招く虞がある。距離min_distが補正開始判断パラメータdist_lim_cam（第１の閾値）以下となり、かつ第１視野補正処理後に視野内に入っている装置数が補正限界視野内装置数パラメータlim_num_eqp（第２の閾値）以下となり、かつ第１視野補正処理後にカメラの視野（撮影範囲）に入っている高さが同じ同一ＸＹ平面上の装置間の距離が装置箱間距離パラメータdist_eqp_close（第３の閾値）以下となる場合に、第２補正処理を実行することで表示遅延を抑制することが好ましい。
【００８２】
次に、第３視野補正処理では、装置間の距離１１０３を調整する処理が実行される。
具体的には、視野補正部２２７（図１４参照）は、第１視野補正処理後にカメラの視野（撮影範囲）に入っている装置の中でカメラ位置に最も近い装置とカメラとの間の距離（min_dist）が図１６に示す装置箱間近接限界パラメータdist_eqp_close（第３の閾値）よりも小さい場合には、力学モデル（ばね理論）などを用いＸＹ平面上の距離を調整する（間隔補正計算を実行する）。
【００８３】
ただし、力学モデルの計算量は、計算対象装置数ｎに対し最小でもｎlog(ｎ)に比例することとなり、大規模ネットワークを構成する多数の装置を計算対象とした場合、計算量が大きくなるため表示遅延を招く虞がある。そのため、カメラと装置との距離についてカメラ位置情報（図１６参照）、装置属性情報（図１５参照）および装置配置設定情報（図１５参照）を参照して計算し、第１視野補正処理後にカメラの視野（撮影範囲）に入っている装置の中でカメラ位置に最も近い装置とカメラとの間の距離（min_dist）を算出する。距離min_distが補正開始判断パラメータdist_lim_cam（第１の閾値）以下となり、かつ第１視野補正処理後に視野内に入っている装置数が補正限界視野内装置数パラメータlim_num_eqp（第２の閾値）以下となり、かつ第１視野補正処理後にカメラの視野（撮影範囲）に入っている高さが同じ同一ＸＹ平面上の装置間の距離が装置箱間距離パラメータdist_eqp_close（第３の閾値）以下となる場合に、同階層（同一平面上）の装置群ごとに力学モデルを適用することによって、計算量を削減し表示遅延を抑制することが好ましい。
【００８４】
＜処理フロー＞
次に、画面表示装置２００の処理フローについて、図１７を用いて説明する（適宜、図１４、図１５参照）
【００８５】
ステップＳ１では、操作部２３４が入力装置３２０から時刻の入力を受け付けると、装置属性情報解析部２２１は、装置属性情報保存部２１１１から、この選択された時刻に対応する装置属性情報を取得する。これにより、各装置の属性（階梯）と、各装置のＸＹ軸の座標とが分かる。
【００８６】
ステップＳ２では、装置接続関係解析部２２２は、装置接続関係保存部２１１２から、選択された時刻に対応する装置間接続情報を取得する。これにより、ネットワーク全体の装置間接続構造が分かる。
【００８７】
ステップＳ３では、座標計算部２２５は、設定保存部２１４から、選択された時刻に対応する装置配置設定情報を取得する。これにより、各装置の属する階梯に対応するＺ軸の座標が分かる。
【００８８】
ステップＳ４では、座標計算部２２５は、Ｓ１で取得した装置属性情報、Ｓ２で取得した装置間接続構造およびＳ３で取得した装置配置設定情報から、装置および装置間のリンクの、三次元表示画面上のＸＹ軸の座標と、各装置の属する階梯に対応するＺ軸の座標とを決定する。このとき、座標計算部２２５は、装置属性情報を参照して、ある装置と現用系・待機系のペアとなる装置がある場合、ペアとなる装置群を囲む表示（楕円１５４など）を三次元表示画面上に配置する（図１２参照）。さらに、複数階梯にまたがる装置群が設置される箇所に、ビルなどの目印を配置する場合には、座標計算部２２５は、装置配置設定情報に含まれる重要ビル情報を参照して、三次元表示画面上に重要ビル１５５（立方体）などの目印を配置する（図１２参照）。
【００８９】
ステップＳ５では、座標計算部２２５は、三次元表示画面上での装置間の接続関係の交差や、各階層内での装置の重なりを低減するよう各装置およびリンクの座標位置を調整する。
【００９０】
ステップＳ６では、警報解析部２２３は、警報受信部２３１が既に受信している警報を取得する。そして、警報解析部２２３は、装置属性情報解析部２２１から装置属性情報を取得し、警報の対象となる装置およびリンクを特定する。次に、警報解析部２２３は、この警報の対象となるリンクおよび装置と、警報発生時刻とを紐づけた警報情報を作成し、警報保存部２１２に出力する。これにより、警報保存部２１２に最新の警報情報が保存される。
【００９１】
ステップＳ７では、座標計算部２２５は、警報保存部２１２に保存された警報情報のうち、Ｓ１で選択された時刻における警報情報に記載の装置と、Ｓ５で調整した各装置およびリンクの座標とを参照して、三次元表示画面上での警報情報の座標を決定する。
【００９２】
ステップＳ８では、座標計算部２２５は、Ｓ１で選択された時刻における流量情報保存部２１３に記憶されている解析済みフロー情報を参照して、三次元表示画面上に、各フローを当該フローの経由するリンクに配置する。そして、座標計算部２２５は、三次元表示画面上に、ネットワークの装置、リンクおよび警報を重畳して配置した座標位置（配置データ）を表示用情報生成部２２６へ出力する。なお、配置データには、フローの情報が含まれていても構わない。
【００９３】
ステップＳ９では、視点決定部２２８は、操作部２３４経由で視点の位置および向きの入力を受け付けると、この視点（カメラ）に対応する三次元表示画面上のカメラ座標位置および方向を決定する。そして、視点決定部２２８は、表示用情報生成部２２６へ、カメラ座標位置および方向を出力する。
【００９４】
ステップＳ１０では、表示用情報生成部２２６は、Ｓ９で取得したカメラ座標位置および方向と、Ｓ８で取得した配置データとに基づいて、三次元表示画面上に、装置、リンク、フローおよび警報を重畳して配置した三次元表示画面を生成する。つまり、表示用情報生成部２２６は、Ｓ８で生成した配置データを、Ｓ９で選択された視点から見た三次元表示画面データを生成する。そして、表示用情報生成部２２６は、生成した三次元表示画面データを、視野補正部２２７へ出力する。
【００９５】
ステップＳ１１では、視野補正部２２７は、視野補正処理を実行し、補正後の表示画面を生成する。なお、この視野補正処理の詳細については、後記する。
【００９６】
ステップＳ１２では、視野補正部２２７は、Ｓ１１で生成した補正後の表示画面を、表示部２３３を経由して、表示装置３１０に出力する。
【００９７】
次に、ステップＳ１１の視野補正処理の処理フロー例について、図１８を用いて説明する（適宜、図１４、図１６参照）。
ステップＳ２１では、視野補正部２２７は、装置の中で、カメラ位置に最も近い装置との間の距離を計算する。具体的には、視野補正部２２７は、カメラ位置情報（図１６参照）からカメラ位置の座標を取得し、カメラ視野中心座標（図１６参照）を参照して、カメラ視野中心に最も近い装置との距離を計算する。
【００９８】
ステップＳ２２では、視野補正部２２７は、Ｚ軸のはみ出しがあるかを判定する。具体的には、視野補正部２２７は、カメラ視野設定情報（図１６参照）を参照し、カメラからの距離に応じた視野広さを取得する。そして、視野補正部２２７は、表示すべきＺ軸方向の範囲の距離（例えば、階層４から階層１までの距離）とカメラの視野とを比較する。視野補正部２２７は、表示すべきＺ軸方向の範囲の距離がカメラの視野より大きい場合、Ｚ軸のはみ出しがあると判定する。
はみ出しがあると判定した場合（ステップＳ２２でＹｅｓ）、処理はステップＳ２３へ進み、はみ出しがないと判定した場合（ステップＳ２２でＮｏ）、処理は終了する。
【００９９】
ステップＳ２３では、視野補正部２２７は、前記した第１視野補正処理を実行する。
【０１００】
ステップＳ２４では、視野補正部２２７は、Ｓ２１で算出したカメラと装置との最短距離が第１の閾値以下かを判定する。ここで、第１の閾値は、図１６に示す補正開始判断パラメータdist_lim_camである。
第１の閾値以下であると判定した場合（ステップＳ２４でＹｅｓ）、処理はステップＳ２５へ進み、第１の閾値より大きいと判定した場合（ステップＳ２４でＮｏ）、処理は終了する。
【０１０１】
ステップＳ２５では、視野補正部２２７は、カメラの視野内に入っている装置数が第２の閾値以下かを判定する。ここで、第２の閾値は、図１６に示す補正限界視野内装置数パラメータlim_num_eqpである。また、カメラの視野内の入る装置数とは、第１視野補正処理を実行した後に、カメラの視野内に存在する装置の数である。
第２の閾値以下であると判定した場合（ステップＳ２５でＹｅｓ）、処理はステップＳ２６へ進み、第２の閾値より大きいと判定した場合（ステップＳ２５でＮｏ）、処理は終了する。
【０１０２】
ステップＳ２６では、視野補正部２２７は、カメラの視野内に入っている高さが同じ同一ＸＹ平面上の装置間の距離が第３の閾値以下かを判定する。ここで、第３の閾値は、図１６に示す装置箱間近接限界パラメータdist_eqp_closeである。
第３の閾値以下であると判定した場合（ステップＳ２６でＹｅｓ）、処理はステップＳ２７へ進み、第３の閾値より大きいと判定した場合（ステップＳ２６でＮｏ）、処理は終了する。
【０１０３】
ステップＳ２７では、視野補正部２２７は、前記した第２視野補正処理を実行する。
【０１０４】
ステップＳ２８では、視野補正部２２７は、前記した第３視野補正処理を実行する。そして、処理は終了する。
【０１０５】
以上、画面表示装置２００は、視点（カメラ）の位置および方向に合わせて、複数階梯によって構成される装置、現用系・待機系のペアとなる装置群、フロー、警報などが表示された三次元表示画面を表示装置３１０に表示することができる。このような表示画面によれば、カメラ位置に合わせたネットワークの状況を示す画面を表示できるため、ネットワークの障害の発生ポイントや、原因箇所や、階梯や、り障範囲などを画面の閲覧者が把握しやすくなる。
【符号の説明】
【０１０６】
１０１，１０２，１０３  下位サービス装置（末端の装置）
１２１，１２２  転送装置
１４１  制御装置
１６１  上位サービス装置（サーバ装置）
２００  画面表示装置
２１０  記憶部
２１１  装置情報保存部
２１２  警報保存部
２１３  流量情報保存部
２１４  設定保存部
２２０  処理部
２２１  装置属性情報解析部
２２２  装置接続関係解析部
２２３  警報解析部
２２４  流量情報解析部
２２５  座標計算部
２２６  表示用情報生成部
２２７  視野補正部
２２８  視点決定部
２３０  入出力部
２３１  警報受信部
２３２  流量情報受信部
２３３  表示部
２３４  操作部
３１０  表示装置
３２０  入力装置
２１１１  装置属性情報保存部
２１１２  装置接続関係保存部
【図１】
0005856635.tif 000005
【図２】
0005856635.tif 000006
【図３】
0005856635.tif 000007
【図４Ａ】
0005856635.tif 000008
【図４Ｂ】
0005856635.tif 000009
【図５Ａ】
0005856635.tif 000010
【図５Ｂ】
0005856635.tif 000011
【図６】
0005856635.tif 000012
【図７】
0005856635.tif 000013
【図８】
0005856635.tif 000014
【図９Ａ】
0005856635.tif 000015
【図９Ｂ】
0005856635.tif 000016
【図９Ｃ】
0005856635.tif 000017
【図１０Ａ】
0005856635.tif 000018
【図１０Ｂ】
0005856635.tif 000019
【図１１】
0005856635.tif 000020
【図１２】
0005856635.tif 000021
【図１３】
0005856635.tif 000022
【図１４】
0005856635.tif 000023
【図１５】
0005856635.tif 000024
【図１６】
0005856635.tif 000025
【図１７】
0005856635.tif 000026
【図１８】
0005856635.tif 000027